(57)【要約】      （修正有）【課題】液の吐出操作中或いは容器を誤って落下させた際に吸込み弁に機能障害が生じるのを確実に防止するための逆止弁及びその逆止弁を備えたポンプ容器を提供する。【解決手段】収納液の減少により上昇する可動底壁４により下端を閉塞した収納室Ｒを備え、収納室上に備えたポンプ機構により収納液を汲み上げて吐出口３４より吐出する如く構成したポンプ容器であって、吸込み弁Ａが、周方向複数の弾性連結片１２により周囲を支持されるとともに、吸込み弁孔５を上下動可能に閉塞した弁板１３を備え、且つ、弁板の上昇幅を規制する上昇幅規制機構を設けた。これにより、弁板が所定の上昇位置より上方へ行くことがなく、弾性連結片の確実な弾性復元力を担保した。【選択図】図１
2008249111.tif 000002
【特許請求の範囲】
【請求項１】
周方向複数の弾性連結片12により周囲を支持されるとともに、弁孔を上下動可能に閉塞した弁板13を備え、且つ、弁板13下面に弁板13の上昇幅を規制する上昇幅規制手段を設けたことを特徴とする逆止弁。
【請求項２】
上記上昇幅規制手段が、弁板13下面周縁部より周方向等間隔に複数垂設したフック18を、弁板13の所定幅上昇時に弁孔周囲の頂部下面に係合させる如く構成してなる請求項１記載の逆止弁。
【請求項３】
上記上昇幅規制手段が、弁板13下面中央より垂設した支持杆40の下部より放射状に突設した複数の係合杆41を、弁板13の所定幅上昇時に弁孔周囲の頂部下面に係合させる如く構成してなる請求項１記載の逆止弁。
【請求項４】
前記各弾性連結片12が、弁板13外面所定位置より外方へ延びた後弁板13周面に沿って延び、しかる後外方へ延びる形態をなす請求項１乃至請求項３のいずれかに記載の逆止弁。
【請求項５】
収納液の減少に伴い上昇する可動底壁４により下端を閉塞した収納室Ｒと、収納室Ｒ上に設けるとともに、収納室Ｒ内と吸込み弁Ａを介して連通させたシリンダ10と、シリンダ10内を摺動するピストン20と連繋させたステム21の上端に吐出ヘッド22を嵌着して上方付勢状態で押し下げ可能に設けた作動部材11とを備え、作動部材11を上下動させることによりシリンダ10内の液を吐出ヘッド22の吐出口34より吐出する如く構成したポンプ容器であって、上記吸込み弁Ａとして、請求項１乃至請求項４のいずれかに記載の逆止弁を設けたことを特徴とするポンプ容器。
【発明の詳細な説明】
【技術分野】
【０００１】
本発明は逆止弁及び該逆止弁を使用したポンプ容器に関する。
【背景技術】
【０００２】
ポンプ容器として、内部が上から下まで同形をなす下端面開口の筒状胴部を有する容器体と、容器体内下部に上方への摺動が可能に外周縁を液密に嵌合させた可動底壁と、容器体上端部に装着させたポンプ機構を内蔵する吐出ポンプとからなるものが知られている（例えば、特許文献１参照）。
【０００３】
この種のポンプ容器に於いて、容器体の上端開口部に吐出ポンプの吸込み弁を位置させており、これらの吸込み弁として、弁板周囲を弾性連結片により連結した形態のものが使用されている。そして、吐出ポンプの作用でシリンダ内の液が吐出された後、シリンダ内の負圧化により容器体内の液が吸込み弁を開いてシリンダ内に浸入し、また、それに伴っての容器体内の負圧化により可動底壁が上昇する如く構成されている。
【特許文献１】特開平０８−２８２７０８号公報
【発明の開示】
【発明が解決しようとする課題】
【０００４】
上記特許文献１のポンプ容器の場合には、液の吐出に当たり吸込み弁の弁板が上昇した際に、弁板が元に戻らないという不都合が生じる虞れがあった。弁板が元に戻らなければ当然弁機能に支障を来し、円滑な作動を阻害される。また、通常の吐出操作の他に、容器を落した衝撃で弁板が移動して元に戻らないという不都合を生じる虞れもあった。
【０００５】
本発明は上記した点に鑑みてなされたもので、液の吐出操作中或いは、容器を誤って落下させた際に弁板が移動位置から元の状態に戻らないという不都合を確実に防止でき、常時円滑な液の吐出操作を行える逆止弁を提案するものであり、また、その様な逆止弁を使用したポンプ容器を提案する。
【課題を解決するための手段】
【０００６】
本発明の逆止弁は、周方向複数の弾性連結片により周囲を支持された弁板を備え、該弁板により弁孔を開閉可能に閉塞する如く構成している。従って、弁板は常時は弾性連結片によりその下面を弁孔周囲の弁座に圧接した状態であり、弁板下流が負圧になった際に或いは弁板上流の液圧が大きくなった際に各弾性連結片の弾発力に抗して下流方向へ移行する如く構成している。弾性連結片の形態は弁板とその周囲の壁面とを弁板の上昇が可能に連結した形状であれば種々採用できるが、好ましくは図示例の如く、弁板外面より外方へ延びた後弁板周面に沿って延びしかる後再び外方へ延びて周囲の壁面と連結する形態のものが弁板の移動を比較的大きくしかも安定した上下動で行えるため好ましい。また、その数は特に限定されないが、複数箇所設けると良い。
【０００７】
また、本発明の逆止弁は、弁板下面に弁板の上昇幅を規制する上昇幅規制手段を設けている。この上昇幅規制手段は、負圧等により弁板が上昇した際に必要以上の移行がないようにしたものであり、それによって各弾性連結片に不都合な変形が生じないようにしたものである。特に上記した図示例の如き、長く、変形が比較的容易な弾性連結片を採用した場合には特に有効である。
【０００８】
上昇幅規制手段は弁板が所定位置まで上昇した際に係合する係合手段を下面に設けることにより形成できる。例えば、弁板下面周縁部より垂設したフックを、弁板の所定幅上昇時に弁孔周囲の壁部下面に係合させる如く構成する。或いは弁板下面中央より垂設した支持杆の下部より放射状に突設した複数の係合杆を同様に弁孔周囲の壁部下面に係合させる如く構成する。係合手段と係合する被係合手段としては、吸込み弁孔周囲の壁部下面に限らず、壁部下面から垂設した凸部或いは筒部等であっても良い。
【０００９】
上昇幅規制手段により弁板が上昇する幅は、その弾性連結片の形態，シリンダの大きさ等を考慮して選択すれば良い。例として１〜１０ｍｍ程度の範囲が挙げられるが、当然これに限られるものではない。
【００１０】
本発明の逆止弁は、例えばポンプ容器，チューブ容器等種々の形態の液体吐出容器に使用することができ、本発明のポンプ容器はこの逆止弁を吸込み弁として採用しており、収納液の減少により上昇する可動底壁により下端を閉塞した収納室を備えている。また、収納室の上端は吸込み弁を介してシリンダ内に連通させている。従って収納室の周壁は可動底壁が外周縁を摺動上昇可能な形態であり、少なくとも可動底壁が上昇する範囲の周壁は内径が下から上まで同径で可動底壁の外周縁が密嵌可能な形状とする。
【００１１】
収納室の上部には収納室内の液を吸い上げて吐出するポンプ機構を備えている。ポンプ機構は、従来のこの種の容器に使用されているポンプ機構であれば種々の形態を採用できるが、シリンダ内を摺動するピストンと連繋させたステムの上端に吐出ヘッドを嵌着して上方付勢状態で押し下げ可能に設けた作動部材を備え、作動部材を上下動させることによりシリンダ内の液を吐出ヘッドの吐出口より吐出する如く構成した形態のものが好ましく採用される。
【００１２】
本発明のポンプ容器では、弁板は常時は弾性連結片によりその下面を吸込み弁孔周囲の頂部上面に圧接した状態であり、シリンダ内が負圧になった際に各弾性連結片の弾発力に抗して上方へ移行する如く構成している。また、ポンプ容器は主として合成樹脂により形成され、必要に応じて、コイルスプリングに金属を使用したり或いは弾力性を必要する部分にエラストマーを使用して形成されるが特に限定されない。
【００１３】
第１の手段として、以下の通り構成した。即ち、周方向複数の弾性連結片12により周囲を支持されるとともに、弁孔を上下動可能に閉塞した弁板13を備え、且つ、弁板13下面に弁板13の上昇幅を規制する上昇幅規制手段を設けたことを特徴とする逆止弁。
【００１４】
第２の手段として、以下の通り構成した。即ち、前記第１の手段に於いて、上記上昇幅規制手段が、弁板13下面周縁部より周方向等間隔に複数垂設したフック18を、弁板13の所定幅上昇時に弁孔周囲の壁部下面に係合させる如く構成した。
【００１５】
第３の手段として、以下の通り構成した。即ち、前記第１の手段に於いて、上記上昇幅規制手段が、弁板13下面中央より垂設した支持杆40の下部より放射状に突設した複数の係合杆41を、弁板13の所定幅上昇時に弁孔周囲の壁部下面に係合させる如く構成した。
【００１６】
第４の手段として、以下の通り構成した。即ち、前記第１の手段乃至第３の手段のいずれかの手段に於いて、前記各弾性連結片12が、弁板13外面所定位置より外方へ延びた後弁板13周面に沿って延び、しかる後外方へ延びる形態をなす。
【００１７】
第５の手段として、以下の通り構成した。即ち、収納液の減少に伴い上昇する可動底壁４により下端を閉塞した収納室Ｒと、収納室Ｒ上に設けるとともに、収納室Ｒ内と吸込み弁Ａを介して連通させたシリンダ10と、シリンダ10内を摺動するピストン20と連繋させたステム21の上端に吐出ヘッド22を嵌着して上方付勢状態で押し下げ可能に設けた作動部材11とを備え、作動部材11を上下動させることによりシリンダ10内の液を吐出ヘッド22の吐出口34より吐出する如く構成したポンプ容器であって、上記吸込み弁Ａとして、前記第１の手段乃至第４の手段のいずれかに記載の逆止弁を設けたことを特徴とするポンプ容器。
【発明の効果】
【００１８】
本発明の逆止弁は、液の吐出操作の際は勿論、大きな衝撃を受けた場合も、弁板13が所定の上昇幅以上は上昇せず、その結果弾性連結片12に無用な負担が係ることがなくてその変形が生じる虞れがなく、弁板13が弁孔から離れた位置に開いたままの状態となるという不都合を生じる虞れがない。
【００１９】
弁板13下面周縁部より周方向等間隔に複数垂設したフック18を、弁板13の所定幅上昇時に弁孔周囲の壁部下面に係合させる如く構成した上昇幅規制手段を採用した場合には、上昇した弁板13を所定位置でその水平を確実に保持して係止することができ、各弾性連結片12を均等に弾性変形させることができ、その結果、各弾性連結片12に充分な弾性復元力を発揮させることができる。
【００２０】
弁板13下面中央より垂設した支持杆40の下部より放射状に突設した複数の係合杆41を、弁板13の所定幅上昇時に弁孔周囲の壁部下面に係合させる如く構成した上昇幅規制手段を採用した場合も同様に弾性連結片12に充分な弾性復元力を発揮させることができる。
【００２１】
弁板13外面所定位置より外方へ延びた後弁板13周面に沿って延び、しかる後外方へ延びる形態の弾性連結片12を採用した場合には、弁板13の上昇幅を比較的ゆとりをもって選択でき、弁板13の上下動も円滑に行える利点がある。
【００２２】
本発明のポンプ容器は、液の吐出操作の際は勿論、誤って容器を落とす等の場合にも、吸込み弁Ａの弁板13が所定の上昇幅以上は上昇せず、その結果弾性連結片12に無用な負担が係ることがなくてその変形が生じる虞れがなく、弁板13が吸込み弁孔５から離れた位置に開いたままの状態となるという不都合を生じる虞れがない。
【発明を実施するための最良の形態】
【００２３】
以下、本発明の実施例の形態を図面を参照して説明する。
【００２４】
図１乃至図４は本発明ポンプ容器の一例を示し、図中１はポンプ容器を示す。該ポンプ容器１は、液を収納する収納室Ｒを備えている。収納室Ｒは、内径が下から上まで同径をなす周壁２と、周壁２の上端より延設した頂壁３と、周壁２の下部に装着した可動底壁４とで画成され、頂壁３の中央に吸込み弁孔５を開口している。
【００２５】
可動底壁４は、周壁２の内周下部を横断して閉塞する底壁部4a外周縁より、上下縁をそれぞれ上向きスカート状及び下向きスカート状に外方へ突出形成させた縦長環状の摺動部4bを延設し、その上下スカート状部を周壁２内面に液密且つ摺動可能に嵌合させている。また、底壁部4a下面中央より円筒状の垂下筒4cを一体に垂設している。また、可動底壁４装着位置下方の周壁２下端部に外周縁部を嵌着固定させて底蓋６を装着している。底蓋６の上面中央より周方向複数の切溝を縦設してなる支持筒6aを立設し、該支持筒6a上端に垂下筒4cの下端を当接している。
【００２６】
収納室Ｒの上部には収納室Ｒ内と吸込み弁Ａを介して連通させたシリンダ10を立設しており、またシリンダ10内に下端部を摺動可能に嵌合させた作動部材11を備えている。
【００２７】
吸込み弁Ａは、周方向複数の弾性連結片12により周囲を上下動可能に支持された弁板13を備え、該弁板13の周縁部を吸込み弁孔５周囲の頂壁３上面に圧接して吸込み弁孔５を開閉可能に閉塞する如く構成している。図２及び図３は吸込み弁Ａを形成する弁部材14を示し、弁部材14は嵌合筒15と弁板13とを、周方向三箇所の弾性連結片12により連結して弁板13を上下動可能に支持している。嵌合筒15はシリンダ10内周下端部に嵌合させ、上端をシリンダ10内周に突設した係止突条16により係止させて抜け出し防止を図っている。また、各弾性連結片12は弁板13の外面所定位置より外方へ延びた後弁板周面に沿って延び、しかる後再び外方へ延びて嵌合筒15内面所定位置に連結している。
【００２８】
吸込み弁Ａの弁板13下面には、弁板13の上昇幅を規制する上昇幅規制手段を設けている。上昇幅規制手段は、弁板13下面周縁部より周方向複数垂設したフック18の係合突部18a を、弁板13の所定幅上昇時に吸込み弁孔５周囲の頂壁３下面に係合させる如く構成している（図４参照）。
【００２９】
作動部材11は、シリンダ10内周に外周を摺動可能に嵌合させたピストン20と、ピストン20内周縁部を所定幅の上下動が可能に嵌合させたステム21と、ステム21上端に嵌着した吐出ヘッド22とを備えており、コイルスプリング23により常時上方に付勢されている。
【００３０】
ステム21は有底筒状で、筒壁下部所定位置には透孔24を穿設し、また、透孔24下方の筒壁外周よりフランジ状の吐出弁座25を突設している。ピストン20は断面Ｈ状をなす環状で、外周筒状片の上端縁及び下端縁をそれぞれシリンダ10内周に液密摺動可能に嵌合させている。また、内周筒状片の上端縁を透孔24上方のステム21外周に形成した下端開口の環状凹部26の外側面に液密摺動可能に嵌合させるとともに、内周筒状片の下端縁を吐出弁座25に液密に圧接している。そして、常時はピストン20と吐出弁座25とで構成する吐出弁Ｂが閉じており、作動部材11の押し下げ時にピストン20がステム21に対して相対上昇して吐出弁Ｂが開く如く構成している。
【００３１】
吐出ヘッド22は、ステム21の上部外周に嵌合させた縦筒30を頂板31の裏面より垂設し、頂板31の周縁部より周壁部32を垂設している。また、縦筒30の上部に基端を開口したノズル33の先端を周壁部32を貫通してその前方へ突出し、先端に吐出口34を開口している。吐出ヘッド22の頂部裏面とシリンダ10外方の容器上面との間に上記コイルスプリング23を介在させており、シリンダ10外方の容器上面に形成した下向き段部35に吐出ヘッド周壁部32の係合突条36を係合させて上方への抜け出しを防止している。
【００３２】
そして、吐出ヘッド22をコイルスプリング23の上方付勢に抗して押し下げることにより、液圧で環状ピストン20がステム21に対して相対的に上昇して吐出弁Ｂが開き、この際シリンダ10内とステム21内とが透孔24を介して連通することから、シリンダ10内の液が透孔24を介してノズル33先端の吐出口34より吐出する。一方、吐出ヘッド22が上昇する際にはピストン20がステム21に対して相対下降して吐出弁Ｂが閉じ、その際負圧化したシリンダ10内に吸込み弁Ａを開いて収納室Ｒ内の液が導入される如く構成している。この際、弁板13が所定位置まで上昇すると各フック18の各係合突部18a が頂壁３裏面に当接して弁板13がそれ以上上方に移行するのを防止する。
【００３３】
図５乃至図７は他の例を示し、図１のポンプ容器に於いて他の上昇幅規制手段を設けた例を示す。上昇幅規制手段は、図６及び図７に示す如く、弁板13下面中央より垂設した支持杆40の下部より放射状に突設した複数の係合杆41を、弁板13の所定幅上昇時に吸込み弁孔５周囲の頂壁３下面に係合させる如く構成している。その他の構成は図１の例と同様であるため、同符号を付して説明を省略する。
【００３４】
この場合も、吐出ヘッド22を押し下げることにより、同様に、シリンダ10内の液が透孔24を介してノズル33先端の吐出口34より吐出する。一方、吐出ヘッド22が上昇する際には同様にシリンダ10内に収納室Ｒ内の液が導入される。この際、弁板13が所定位置まで上昇すると各係合杆41の先端部が頂壁３裏面に当接して弁板13がそれ以上上方に移行するのを防止する。
【図面の簡単な説明】
【００３５】
【図１】本発明ポンプ容器の半断面図である。（実施例１）
【図２】本発明ポンプ容器を形成する弁部材の拡大底面図である。（実施例１）
【図３】図２のＸ−Ｘ線に沿う縦断面図である。（実施例１）
【図４】本発明ポンプ容器の作用を説明する説明図である。（実施例１）
【図５】本発明ポンプ容器の半断面図である。（実施例２）
【図６】本発明ポンプ容器を形成する弁部材の拡大底面図である。（実施例２）
【図７】図６のＹ−Ｙ線に沿う縦断面図である。（実施例２）
【符号の説明】
【００３６】
１…ポンプ容器
Ｒ…収納室，２…周壁，３…頂壁，４…可動底壁，4a…底壁部，4b…摺動部，
4c…垂下筒，５…吸込み弁孔，６…底蓋，6a…支持筒，Ａ…吸込み弁，
10…シリンダ，11…作動部材，12…弾性連結片，13…弁板，14…弁部材，
15…嵌合筒，16…係止突条，18…フック，18a …係合突部，20…ピストン，
21…ステム，22…吐出ヘッド，23…コイルスプリング，24…透孔，25…吐出弁座，
26…環状凹部，Ｂ…吐出弁，30…縦筒，31…頂板，32…周壁部，33…ノズル，
34…吐出孔，35…下向き段部，36…係合突条，40…支持杆，41…係合杆
【図１】
2008249111.tif 000003
【図２】
2008249111.tif 000004
【図３】
2008249111.tif 000005
【図４】
2008249111.tif 000006
【図５】
2008249111.tif 000007
【図６】
2008249111.tif 000008
【図７】
2008249111.tif 000009